(57)【要約】【課題】  本体装置の設定を複数のリモコンから変更できる遠隔操作システムにおいて、本体および各リモコンの設定に矛盾が生じないようにする。【解決手段】  遠隔操作システム１は、所定の動作を行う本体装置１０と、本体装置１０の設定を遠隔位置から変更する複数のリモコン２０…とを含む。本体装置１０は、現在の設定に変更したリモコン２０Ａを特定可能な装置識別情報を本体側本体側記憶部１３に記憶する変更装置保持部３１と、現在の設定に変更したリモコン２０Ａを除いた他のリモコン２０Ｂとの通信が可能であるか否かを判定する本体側通信可否判定部３２と、他のリモコン２０Ｂとの通信が可能になったとき、リモコン２０Ｂへ本体装置１０の設定状態を示す設定情報を送信する設定通知部３３とを備える。【選択図】  図１
2005136890.tif 000002
【特許請求の範囲】
【請求項１】
所定の動作を行う本体装置と、該本体装置の設定を遠隔位置から変更する複数の遠隔操作装置とを含む遠隔操作システムの本体装置であって、
現在の設定に変更した遠隔操作装置を特定可能な装置識別情報を記憶手段に記憶する変更装置保持手段と、
現在の設定に変更した遠隔操作装置を除いた他の遠隔操作装置との通信が可能であるか否かを判定する通信可否判定手段と、
上記他の遠隔操作装置との通信が可能になったとき、当該遠隔操作装置へ自装置の設定状態を示す設定情報を送信する設定通知手段と、を備えることを特徴とする遠隔操作システムの本体装置。
【請求項２】
所定の動作を行う本体装置と、該本体装置の設定を遠隔位置から変更する複数の遠隔操作装置とを含む遠隔操作システムの遠隔操作装置であって、
本体装置の設定状態を示す設定情報を当該本体装置より受信する設定取得手段と、
上記設定情報をユーザに提示する提示手段と、を備えることを特徴とする遠隔操作システムの遠隔操作装置。
【請求項３】
所定の動作を行う本体装置と、該本体装置の設定を遠隔位置から変更する複数の遠隔操作装置とを含む遠隔操作システムの遠隔操作装置であって、
本体装置の設定状態を示す設定情報を当該本体装置より受信する設定取得手段と、
上記設定情報を記憶手段に記憶する設定管理手段と、を備えることを特徴とする遠隔操作システムの遠隔操作装置。
【請求項４】
所定の動作を行う本体装置と、該本体装置の設定を遠隔位置から変更する複数の遠隔操作装置とを含む遠隔操作システムの制御方法であって、
現在の設定に変更した遠隔操作装置を特定可能な装置識別情報を記憶する変更装置保持ステップと、
現在の設定に変更した遠隔操作装置を除いた他の遠隔操作装置と本体装置との通信が可能であるか否かを判定する通信可否判定ステップと、
上記他の遠隔操作装置と本体装置との通信が可能になったとき、当該遠隔操作装置へ本体装置の設定状態を示す設定情報を送信する設定通知ステップと、を含むことを特徴とする遠隔操作システムの制御方法。
【請求項５】
所定の動作を行う本体装置と、該本体装置の設定を遠隔位置から変更する複数の遠隔操作装置とを含む遠隔操作システムの本体装置であって、
自装置の設定状態を示す設定情報の通知要求を遠隔操作装置より受信する設定通知要求取得手段と、
上記設定通知要求取得手段にて上記設定情報の通知要求を遠隔操作装置より受信したとき、当該遠隔操作装置へ上記設定情報を送信する設定通知手段と、を備えることを特徴とする遠隔操作システムの本体装置。
【請求項６】
所定の動作を行う本体装置と、該本体装置の設定を遠隔位置から変更する複数の遠隔操作装置とを含む遠隔操作システムの遠隔操作装置であって、
本体装置の設定状態を示す設定情報の通知要求を当該本体装置へ送信する設定通知要求手段と、
上記設定情報を上記本体装置より受信する設定取得手段と、を備えることを特徴とする遠隔操作システムの遠隔操作装置。
【請求項７】
上記本体装置より受信した上記設定情報をユーザに提示する提示手段を備えることを特徴とする請求項６記載の遠隔操作システムの遠隔操作装置。
【請求項８】
上記本体装置より受信した上記設定情報を記憶手段に記憶する設定管理手段を備えることを特徴とする請求項６に記載の遠隔操作システムの遠隔操作装置。
【請求項９】
所定の動作を行う本体装置と、該本体装置の設定を遠隔位置から変更する複数の遠隔操作装置とを含む遠隔操作システムの制御方法であって、
本体装置の設定状態を示す設定情報の通知要求を遠隔操作装置から本体装置へ送信する設定通知要求ステップと、
上記設定情報を本体装置から遠隔操作装置へ送信する設定通知ステップと、を含むことを特徴とする遠隔操作システムの制御方法。
【請求項１０】
所定の動作を行う本体装置と、該本体装置の設定を遠隔位置から変更する複数の遠隔操作装置とを含む遠隔操作システムの本体装置であって、
遠隔操作装置との通信が可能であるか否かを判定する通信可否判定手段と、
いずれか１つの遠隔操作装置と通信不可能な状態が所定時間継続したとき、自装置の設定をあらかじめ決められた規定値設定に変更する設定変更手段と、を備えることを特徴とする遠隔操作システムの本体装置。
【請求項１１】
所定の動作を行う本体装置と、該本体装置の設定を遠隔位置から変更する複数の遠隔操作装置とを含む遠隔操作システムの遠隔操作装置であって、
本体装置との通信が可能であるか否かを判定する通信可否判定手段と、
本体装置と通信不可能な状態が所定時間継続したとき、本体装置の設定があらかじめ決められた規定値設定に変更された旨をユーザに提示する提示手段と、を備えることを特徴とする遠隔操作システムの遠隔操作装置。
【請求項１２】
所定の動作を行う本体装置と、該本体装置の設定を遠隔位置から変更する複数の遠隔操作装置とを含む遠隔操作システムの遠隔操作装置であって、
本体装置との通信が可能であるか否かを判定する通信可否判定手段と、
本体装置と通信不可能な状態が所定時間継続したとき、あらかじめ決められた規定値設定を本体装置の設定状態を示す設定情報として記憶手段に記憶する設定管理手段と、を備えることを特徴とする遠隔操作システムの遠隔操作装置。
【請求項１３】
所定の動作を行う本体装置と、該本体装置の設定を遠隔位置から変更する複数の遠隔操作装置とを含む遠隔操作システムの制御方法であって、
本体装置と遠隔操作装置との通信が可能であるか否かを判定する通信可否判定ステップと、
本体装置といずれか１つの遠隔操作装置との通信不可能な状態が所定時間継続したとき、本体装置の設定をあらかじめ決められた規定値設定に変更する設定変更ステップと、を含むことを特徴とする遠隔操作システムの制御方法。
【請求項１４】
所定の動作を行う本体装置と、該本体装置の設定を遠隔位置から変更する複数の遠隔操作装置とを含む遠隔操作システムの遠隔操作装置であって、
自装置が行った変更と他の遠隔操作装置が行った変更との先後関係を特定可能な変更順情報を記憶手段に記憶する変更順管理手段と、
他の遠隔操作装置との間で変更順情報を交換する変更順情報交換手段と、
上記変更順情報に基づき、自装置が行った変更と他の遠隔操作装置が行った変更との先後関係を特定する変更順比較手段と、
他の遠隔操作装置による変更が自装置による変更より後であった場合、本体装置の設定が他の遠隔操作装置によって変更された旨をユーザに提示する提示手段と、を備えることを特徴とする遠隔操作システムの遠隔操作装置。
【請求項１５】
所定の動作を行う本体装置と、該本体装置の設定を遠隔位置から変更する複数の遠隔操作装置とを含む遠隔操作システムの遠隔操作装置であって、
自装置が行った変更による本体装置の設定状態を示す設定情報とともに、自装置が行った変更と他の遠隔操作装置が行った変更との先後関係を特定可能な変更順情報を記憶手段に記憶する変更順管理手段と、
他の遠隔操作装置との間で変更順情報を交換する変更順情報交換手段と、
上記変更順情報に基づき、自装置が行った変更と他の遠隔操作装置が行った変更との先後関係を特定する変更順比較手段と、
他の遠隔操作装置による変更が自装置による変更より後であった場合、当該遠隔操作装置の設定情報および変更順情報によって、上記記憶手段の設定情報および変更順情報を更新する設定情報修正手段と、を備えることを特徴とする遠隔操作システムの遠隔操作装置。
【請求項１６】
所定の動作を行う本体装置と、該本体装置の設定を遠隔位置から変更する複数の遠隔操作装置とを含む遠隔操作システムの制御方法であって、
各遠隔操作装置にて、自装置が行った変更と他の遠隔操作装置が行った変更との先後関係を特定可能な変更順情報を記憶する変更順管理ステップと、
各遠隔操作装置にて、他の遠隔操作装置との間で変更順情報を交換する変更順情報交換ステップと、
各遠隔操作装置にて、上記変更順情報に基づき、自装置が行った変更と他の遠隔操作装置が行った変更との先後関係を特定する変更順比較ステップと、を含むことを特徴とする遠隔操作システムの制御方法。
【請求項１７】
所定の動作を行う本体装置と、該本体装置の設定を遠隔位置から変更する複数の遠隔操作装置とを含む遠隔操作システムの本体装置であって、
現在の設定に変更した遠隔操作装置に付与された優先順位を記憶手段に記憶する優先順位保持手段と、
遠隔操作装置から設定変更の要求を受信したとき、当該遠隔操作装置に付与された優先順位と、上記記憶手段に記憶した優先順位とを比較し、当該遠隔操作装置に付与された優先順位の方が高いときのみ設定の変更を許可する優先順位比較手段と、を備えることを特徴とする遠隔操作システムの本体装置。
【請求項１８】
所定の動作を行う本体装置と、該本体装置の設定を遠隔位置から変更する複数の遠隔操作装置とを含む遠隔操作システムの制御方法であって、
現在の設定に変更した遠隔操作装置に付与された優先順位を記憶する優先順位保持ステップと、
本体装置が遠隔操作装置から設定変更の要求を受信したとき、当該遠隔操作装置に付与された優先順位と、上記記憶した優先順位とを比較し、当該遠隔操作装置に付与された優先順位の方が高いときのみ設定の変更を許可する優先順位比較ステップと、を含むことを特徴とする遠隔操作システムの制御方法。
【請求項１９】
所定の動作を行う本体装置と、該本体装置の設定を遠隔位置から変更する複数の遠隔操作装置とを含む遠隔操作システムの本体装置であって、
各遠隔操作装置には当該遠隔操作装置から変更可能な設定の範囲が権限としてあらかじめ設定されており、
遠隔操作装置から設定変更の要求を受信したとき、当該遠隔操作装置が当該変更の権限を有する場合に変更を許可する権限判定手段と、
上記権限判定手段にて変更が許可された場合、設定を変更する設定変更手段と、を備えることを特徴とする遠隔操作システムの本体装置。
【請求項２０】
所定の動作を行う本体装置と、該本体装置の設定を遠隔位置から変更する複数の遠隔操作装置とを含む遠隔操作システムの制御方法であって、
各遠隔操作装置に当該遠隔操作装置から変更可能な設定の範囲を権限として設定する権限設定ステップと、
本体装置が遠隔操作装置から設定変更の要求を受信したとき、当該遠隔操作装置が当該変更の権限を有する場合に変更を許可する権限判定ステップと、
上記権限判定ステップにて変更が許可された場合、設定を変更する設定変更ステップと、を含むことを特徴とする遠隔操作システムの制御方法。
【請求項２１】
所定の動作を行う本体装置と、該本体装置の設定を遠隔位置から変更する複数の遠隔操作装置とを含む遠隔操作システムの本体装置であって、
設定変更の要求を送信してきた遠隔操作装置と、自装置との距離を測定する距離測定手段と、
複数の遠隔操作装置から設定変更の要求を受信したとき、自装置に最も近い遠隔操作装置を特定する距離判定手段と、
上記距離判定手段によって特定された最も近い遠隔操作装置からの設定変更の要求に従って設定を変更する設定変更手段と、を備えることを特徴とする遠隔操作システムの本体装置。
【請求項２２】
所定の動作を行う本体装置と、該本体装置の設定を遠隔位置から変更する複数の遠隔操作装置とを含む遠隔操作システムの制御方法であって、
設定変更の要求を送信してきた遠隔操作装置と、自装置との距離を測定する距離測定ステップと、
複数の遠隔操作装置から設定変更の要求を受信したとき、自装置に最も近い遠隔操作装置を特定する距離判定ステップと、
上記距離判定手段によって特定された最も近い遠隔操作装置からの設定変更の要求に従って設定を変更する設定変更ステップと、を含むことを特徴とする遠隔操作システムの制御方法。
【請求項２３】
所定の動作を行う本体装置と、該本体装置の設定を遠隔位置から変更する複数の遠隔操作装置とを含む遠隔操作システムの本体装置であって、
遠隔操作装置より受信した設定変更の要求を保持し、同一内容の設定変更の要求が所定数集まったときに、当該設定変更を許可する要求カウント手段と、
上記要求カウント手段にて変更が許可された場合、設定を変更する設定変更手段と、を備えることを特徴とする遠隔操作システムの本体装置。
【請求項２４】
所定の動作を行う本体装置と、該本体装置の設定を遠隔位置から変更する複数の遠隔操作装置とを含む遠隔操作システムの制御方法であって、
本体装置にて、遠隔操作装置より受信した設定変更の要求を保持し、同一内容の設定変更の要求が所定数集まったときに、当該設定変更を許可する要求カウントステップと、
上記要求カウントステップにて変更が許可された場合、設定を変更する設定変更ステップと、を含むことを特徴とする遠隔操作システムの制御方法。
【発明の詳細な説明】
【技術分野】
【０００１】
本発明は、所定の動作を行う本体装置の設定を変更するための遠隔操作装置（リモコン）を複数有する遠隔操作システムの本体装置、遠隔操作装置、制御方法に関するものである。
【背景技術】
【０００２】
近年、車上荒しや車両盗難の被害が増加していることから、車両警備装置への必要性が急速に高まっている。そして、もっとも広く市販されているものとして、不正なドアのこじ開けや、車両の傾斜等の車両異常を感知する機能を備え、異常が発生した際にはサイレンで車両への侵入者を威嚇するタイプの車両警備装置を挙げることができる。さらに高価なタイプの車両警備装置では、異常発生を感知すると同時にオペレーションセンターへ異常信号を送信するタイプのものもある。
【０００３】
さらに、下記非特許文献１には、車両に取り付けられた本体装置を操作するためのリモコンを備えた車両警備システムが記載されている。この車両警備システムでは、本体装置のセキュリティレベルをリモコンから設定できる。また、本体装置は異常を検知した際、リモコンが通信圏内にある場合には、危険レベルをリアルタイムにリモコンへ通報する。一方、リモコンが通信圏内にない場合には、圏外時に異常が発生したことを、通信成立時にリモコンで確認できるようになっている。また、「圏外表示」付きで受信可能かどうかを表示する。
【０００４】
また、下記非特許文献２には、本体装置とリモコンが相互通信可能である車両警備システムが記載されている。この車両警備システムでは、本体装置とリモコンとの相互通信により、本体装置の作動状態や警報の発生をリモコンへアンサーバックする。また、本体装置が異常を感知した場合でも、車両側ではサイレンやライトフラッシュでの警報を発生させず、リモコンにのみ警報の発生を報告することも可能である。なお、非特許文献２には、１つのリモコンに複数台の本体装置を登録して、複数台の車に装着された本体装置を、それぞれ制御することが記載されている。
【０００５】
また、下記の非特許文献１〜５に記載されているように、車両警備システムにおいて、車両に取り付けられた本体装置を操作するためのリモコンを複数備えたものがある。
【０００６】
なお、本願発明に関連する先行技術文献としては、次の非特許文献１〜５がある。
【非特許文献１】“ATOZ FORCE 2000”、［online］、［平成１５年１０月１７日検索］、インターネット、＜URL：http://www.kami-station.co.jp/security/F2000/index.htm>
【非特許文献２】“車の盗難を防止する警報装置(カーセキュリティー) マークスマン セキュリティ システム”、［online］、マークスマン、［平成１５年１０月１７日検索］、インターネット、＜URL：http://www.south.ne.jp/~marksman/lineup.html>
【非特許文献３】“SUPER BARRICADO”、［online］、カーメイト、［平成１５年１０月１７日検索］、インターネット、＜URL：http://www.carmate.co.jp/networkbarricado/super/sq5000.html>
【非特許文献４】“HORNET 719G”、［online］、加藤電機、［平成１５年１０月１７日検索］、インターネット、＜URL：http://www.kato-denki.com/products/hornet/719g.html>
【非特許文献５】“HORNET 728M”、［online］、加藤電機、［平成１５年１０月１７日検索］、インターネット、＜URL：http://www.kato-denki.com/products/hornet/728m.html>
【発明の開示】
【発明が解決しようとする課題】
【０００７】
しかしながら、上記従来のリモコンを複数備えた車両警備システムでは、本体装置の設定と、リモコンが変更結果として記憶している設定とが食い違うという問題が生ずる。
【０００８】
すなわち、リモコンが１つの場合には、リモコンと本体装置間で双方向の通信を行うことにより、リモコンによる操作完了を確認することができた。しかし、複数のリモコンを使用する場合、本体装置の設定は他のリモコンによっても変更されるため、本体装置の設定と通信圏外のリモコンの設定とを常に同期させることは困難である。よって、本体装置の設定とリモコンの設定とに矛盾が生じるおそれがあった。
【０００９】
このように、本体装置の設定とリモコンの設定とに食い違いがあると、不便なばかりでなく、事故の原因ともなりかねず、解決が望まれていた。なお、設定を記憶しないリモコンであっても、リモコンのユーザが自分のした設定を覚えているため、他のリモコンで異なる設定に変更された場合であってもことが通知されないのは好ましいことではない。
【００１０】
本発明は、上記の問題点を解決するためになされたもので、その目的は、本体装置の設定を複数のリモコンから変更できる遠隔操作システムにおいて、本体および各リモコンの設定に矛盾が生じないようにすることができる遠隔操作システムの本体装置、遠隔操作装置、制御方法を提供することにある。
【課題を解決するための手段】
【００１１】
上記課題を解決するために、本発明に係る遠隔操作システムの本体装置は、所定の動作を行う本体装置と、該本体装置の設定を遠隔位置から変更する複数の遠隔操作装置とを含む遠隔操作システムの本体装置であって、現在の設定に変更した遠隔操作装置を特定可能な装置識別情報を記憶手段に記憶する変更装置保持手段と、現在の設定に変更した遠隔操作装置を除いた他の遠隔操作装置との通信が可能であるか否かを判定する通信可否判定手段と、上記他の遠隔操作装置との通信が可能になったとき、当該遠隔操作装置へ自装置の設定状態を示す設定情報を送信する設定通知手段と、を備えることを特徴としている。
【００１２】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、本体装置の設定状態を示す設定情報を当該本体装置より受信する設定取得手段と、上記設定情報をユーザに提示する提示手段と、を備えることを特徴としている。
【００１３】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、本体装置の設定状態を示す設定情報を当該本体装置より受信する設定取得手段と、上記設定情報を記憶手段に記憶する設定管理手段と、を備えることを特徴としている。
【００１４】
また、本発明に係る遠隔操作システムの制御方法は、所定の動作を行う本体装置と、該本体装置の設定を遠隔位置から変更する複数の遠隔操作装置とを含む遠隔操作システムの制御方法であって、現在の設定に変更した遠隔操作装置を特定可能な装置識別情報を記憶する変更装置保持ステップと、現在の設定に変更した遠隔操作装置を除いた他の遠隔操作装置と本体装置との通信が可能であるか否かを判定する通信可否判定ステップと、上記他の遠隔操作装置と本体装置との通信が可能になったとき、当該遠隔操作装置へ本体装置の設定状態を示す設定情報を送信する設定通知ステップと、を含むことを特徴としている。
【００１５】
また、本発明に係る遠隔操作システムの本体装置は、所定の動作を行う本体装置と、該本体装置の設定を遠隔位置から変更する複数の遠隔操作装置とを含む遠隔操作システムの本体装置であって、自装置の設定状態を示す設定情報の通知要求を遠隔操作装置より受信する設定通知要求取得手段と、上記設定通知要求取得手段にて上記設定情報の通知要求を遠隔操作装置より受信したとき、当該遠隔操作装置へ上記設定情報を送信する設定通知手段と、を備えることを特徴としている。
【００１６】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、本体装置の設定状態を示す設定情報の通知要求を当該本体装置へ送信する設定通知要求手段と、上記設定情報を上記本体装置より受信する設定取得手段と、を備えることを特徴としている。
【００１７】
さらに、本発明に係る遠隔操作システムの遠隔操作装置は、上記本体装置より受信した上記設定情報をユーザに提示する提示手段を備えることを特徴としている。
【００１８】
さらに、本発明に係る遠隔操作システムの遠隔操作装置は、上記本体装置より受信した上記設定情報を記憶手段に記憶する設定管理手段を備えることを特徴としている。
【００１９】
また、本発明に係る遠隔操作システムの制御方法は、所定の動作を行う本体装置と、該本体装置の設定を遠隔位置から変更する複数の遠隔操作装置とを含む遠隔操作システムの制御方法であって、本体装置の設定状態を示す設定情報の通知要求を遠隔操作装置から本体装置へ送信する設定通知要求ステップと、上記設定情報を本体装置から遠隔操作装置へ送信する設定通知ステップと、を含むことを特徴としている。
【００２０】
また、本発明に係る遠隔操作システムの本体装置は、所定の動作を行う本体装置と、該本体装置の設定を遠隔位置から変更する複数の遠隔操作装置とを含む遠隔操作システムの本体装置であって、遠隔操作装置との通信が可能であるか否かを判定する通信可否判定手段と、いずれか１つの遠隔操作装置と通信不可能な状態が所定時間継続したとき、自装置の設定をあらかじめ決められた規定値設定に変更する設定変更手段と、を備えることを特徴としている。
【００２１】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、本体装置との通信が可能であるか否かを判定する通信可否判定手段と、本体装置と通信不可能な状態が所定時間継続したとき、本体装置の設定があらかじめ決められた規定値設定に変更された旨をユーザに提示する提示手段と、を備えることを特徴としている。
【００２２】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、本体装置との通信が可能であるか否かを判定する通信可否判定手段と、本体装置と通信不可能な状態が所定時間継続したとき、あらかじめ決められた規定値設定を本体装置の設定状態を示す設定情報として記憶手段に記憶する設定管理手段、を備えることを特徴としている。
【００２３】
また、本発明に係る遠隔操作システムの制御方法は、所定の動作を行う本体装置と、該本体装置の設定を遠隔位置から変更する複数の遠隔操作装置とを含む遠隔操作システムの制御方法であって、本体装置と遠隔操作装置との通信が可能であるか否かを判定する通信可否判定ステップと、本体装置といずれか１つの遠隔操作装置との通信不可能な状態が所定時間継続したとき、本体装置の設定をあらかじめ決められた規定値設定に変更する設定変更ステップと、を含むことを特徴としている。
【００２４】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、自装置が行った変更と他の遠隔操作装置が行った変更との先後関係を特定可能な変更順情報を記憶手段に記憶する変更順管理手段と、他の遠隔操作装置との間で変更順情報を交換する変更順情報交換手段と、上記変更順情報に基づき、自装置が行った変更と他の遠隔操作装置が行った変更との先後関係を特定する変更順比較手段と、他の遠隔操作装置による変更が自装置による変更より後であった場合、本体装置の設定が他の遠隔操作装置によって変更された旨をユーザに提示する提示手段と、を備えることを特徴としている。
【００２５】
また、本発明に係る遠隔操作システムの遠隔操作装置は、所定の動作を行う本体装置と、該本体装置の設定を遠隔位置から変更する複数の遠隔操作装置とを含む遠隔操作システムの遠隔操作装置であって、自装置が行った変更による本体装置の設定状態を示す設定情報とともに、自装置が行った変更と他の遠隔操作装置が行った変更との先後関係を特定可能な変更順情報を記憶手段に記憶する変更順管理手段と、他の遠隔操作装置との間で変更順情報を交換する変更順情報交換手段と、上記変更順情報に基づき、自装置が行った変更と他の遠隔操作装置が行った変更との先後関係を特定する変更順比較手段と、他の遠隔操作装置による変更が自装置による変更より後であった場合、当該遠隔操作装置の設定情報および変更順情報によって、上記記憶手段の設定情報および変更順情報を更新する設定情報修正手段と、を備えることを特徴としている。
【００２６】
また、本発明に係る遠隔操作システムの制御方法は、所定の動作を行う本体装置と、該本体装置の設定を遠隔位置から変更する複数の遠隔操作装置とを含む遠隔操作システムの制御方法であって、各遠隔操作装置にて、自装置が行った変更と他の遠隔操作装置が行った変更との先後関係を特定可能な変更順情報を記憶する変更順管理ステップと、各遠隔操作装置にて、他の遠隔操作装置との間で変更順情報を交換する変更順情報交換ステップと、各遠隔操作装置にて、上記変更順情報に基づき、自装置が行った変更と他の遠隔操作装置が行った変更との先後関係を特定する変更順比較ステップと、を含むことを特徴としている。
【００２７】
また、本発明に係る遠隔操作システムの本体装置は、所定の動作を行う本体装置と、該本体装置の設定を遠隔位置から変更する複数の遠隔操作装置とを含む遠隔操作システムの本体装置であって、現在の設定に変更した遠隔操作装置に付与された優先順位を記憶手段に記憶する優先順位保持手段と、遠隔操作装置から設定変更の要求を受信したとき、当該遠隔操作装置に付与された優先順位と、上記記憶手段に記憶した優先順位とを比較し、当該遠隔操作装置に付与された優先順位の方が高いときのみ設定の変更を許可する優先順位比較手段と、を備えることを特徴としている。
【００２８】
また、本発明に係る遠隔操作システムの制御方法は、所定の動作を行う本体装置と、該本体装置の設定を遠隔位置から変更する複数の遠隔操作装置とを含む遠隔操作システムの制御方法であって、現在の設定に変更した遠隔操作装置に付与された優先順位を記憶する優先順位保持ステップと、本体装置が遠隔操作装置から設定変更の要求を受信したとき、当該遠隔操作装置に付与された優先順位と、上記記憶した優先順位とを比較し、当該遠隔操作装置に付与された優先順位の方が高いときのみ設定の変更を許可する優先順位比較ステップと、を含むことを特徴としている。
【００２９】
また、本発明に係る遠隔操作システムの本体装置は、所定の動作を行う本体装置と、該本体装置の設定を遠隔位置から変更する複数の遠隔操作装置とを含む遠隔操作システムの本体装置であって、各遠隔操作装置には当該遠隔操作装置から変更可能な設定の範囲が権限としてあらかじめ設定されており、遠隔操作装置から設定変更の要求を受信したとき、当該遠隔操作装置が当該変更の権限を有する場合に変更を許可する権限判定手段と、上記権限判定手段にて変更が許可された場合、設定を変更する設定変更手段と、を備えることを特徴としている。
【００３０】
また、本発明に係る遠隔操作システムの制御方法は、所定の動作を行う本体装置と、該本体装置の設定を遠隔位置から変更する複数の遠隔操作装置とを含む遠隔操作システムの制御方法であって、各遠隔操作装置に当該遠隔操作装置から変更可能な設定の範囲を権限として設定する権限設定ステップと、本体装置が遠隔操作装置から設定変更の要求を受信したとき、当該遠隔操作装置が当該変更の権限を有する場合に変更を許可する権限判定ステップと、上記権限判定ステップにて変更が許可された場合、設定を変更する設定変更ステップと、を含むことを特徴としている。
【００３１】
また、本発明に係る遠隔操作システムの本体装置は、所定の動作を行う本体装置と、該本体装置の設定を遠隔位置から変更する複数の遠隔操作装置とを含む遠隔操作システムの本体装置であって、設定変更の要求を送信してきた遠隔操作装置と、自装置との距離を測定する距離測定手段と、複数の遠隔操作装置から設定変更の要求を受信したとき、自装置に最も近い遠隔操作装置を特定する距離判定手段と、上記距離判定手段によって特定された最も近い遠隔操作装置からの設定変更の要求に従って設定を変更する設定変更手段と、を備えることを特徴としている。
【００３２】
また、本発明に係る遠隔操作システムの制御方法は、所定の動作を行う本体装置と、該本体装置の設定を遠隔位置から変更する複数の遠隔操作装置とを含む遠隔操作システムの制御方法であって、設定変更の要求を送信してきた遠隔操作装置と、自装置との距離を測定する距離測定ステップと、複数の遠隔操作装置から設定変更の要求を受信したとき、自装置に最も近い遠隔操作装置を特定する距離判定ステップと、上記距離判定手段によって特定された最も近い遠隔操作装置からの設定変更の要求に従って設定を変更する設定変更ステップと、を含むことを特徴としている。
【００３３】
また、本発明に係る遠隔操作システムの本体装置は、所定の動作を行う本体装置と、該本体装置の設定を遠隔位置から変更する複数の遠隔操作装置とを含む遠隔操作システムの本体装置であって、遠隔操作装置より受信した設定変更の要求を保持し、同一内容の設定変更の要求が所定数集まったときに、当該設定変更を許可する要求カウント手段と、上記要求カウント手段にて変更が許可された場合、設定を変更する設定変更手段と、を備えることを特徴としている。
【００３４】
また、本発明に係る遠隔操作システムの制御方法は、所定の動作を行う本体装置と、該本体装置の設定を遠隔位置から変更する複数の遠隔操作装置とを含む遠隔操作システムの制御方法であって、本体装置にて、遠隔操作装置より受信した設定変更の要求を保持し、同一内容の設定変更の要求が所定数集まったときに、当該設定変更を許可する要求カウントステップと、上記要求カウントステップにて変更が許可された場合、設定を変更する設定変更ステップと、を含むことを特徴としている。
【発明の効果】
【００３５】
以上のように、本発明に係る遠隔操作システムの本体装置は、現在の設定に変更した遠隔操作装置を特定可能な装置識別情報を記憶手段に記憶する変更装置保持手段と、現在の設定に変更した遠隔操作装置を除いた他の遠隔操作装置との通信が可能であるか否かを判定する通信可否判定手段と、上記他の遠隔操作装置との通信が可能になったとき、当該遠隔操作装置へ自装置の設定状態を示す設定情報を送信する設定通知手段と、を備える構成である。
【００３６】
それゆえ、本体装置と遠隔操作装置が通信可能になった時、本体装置の設定内容を遠隔操作装置に通知する。よって、遠隔操作装置の設定を本体装置の設定に同期させることが可能となる。
【００３７】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００３８】
また、本発明に係る遠隔操作システムの遠隔操作装置は、本体装置の設定状態を示す設定情報を当該本体装置より受信する設定取得手段と、上記設定情報をユーザに提示する提示手段と、を備えることを特徴としている。
【００３９】
それゆえ、本体装置と遠隔操作装置が通信可能になった時、遠隔操作装置が本体装置の設定内容を取得して、ユーザに提示する。よって、本体装置の設定と遠隔操作装置の設定とに食い違い生じた場合でも、ユーザに対応を選択させることができる。
【００４０】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００４１】
また、本発明に係る遠隔操作システムの遠隔操作装置は、本体装置の設定状態を示す設定情報を当該本体装置より受信する設定取得手段と、上記設定情報を記憶手段に記憶する設定管理手段と、を備えることを特徴としている。
【００４２】
それゆえ、本体装置と遠隔操作装置が通信可能になった時、遠隔操作装置が本体装置の設定内容を取得して、遠隔操作装置の設定を本体装置の設定に変更する。よって、本体装置の設定と遠隔操作装置の設定とに食い違い生じた場合でも、遠隔操作装置の設定を本体装置の設定に自動的に同期させることができる。
【００４３】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００４４】
また、本発明に係る遠隔操作システムの制御方法は、現在の設定に変更した遠隔操作装置を特定可能な装置識別情報を記憶する変更装置保持ステップと、現在の設定に変更した遠隔操作装置を除いた他の遠隔操作装置と本体装置との通信が可能であるか否かを判定する通信可否判定ステップと、上記他の遠隔操作装置と本体装置との通信が可能になったとき、当該遠隔操作装置へ本体装置の設定状態を示す設定情報を送信する設定通知ステップと、を含むことを特徴としている。
【００４５】
それゆえ、本体装置と遠隔操作装置が通信可能になった時、本体装置の設定内容を遠隔操作装置に通知する。よって、遠隔操作装置の設定を本体装置の設定に同期させることが可能となる。
【００４６】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００４７】
また、本発明に係る遠隔操作システムの本体装置は、自装置の設定状態を示す設定情報の通知要求を遠隔操作装置より受信する設定通知要求取得手段と、上記設定通知要求取得手段にて上記設定情報の通知要求を遠隔操作装置より受信したとき、当該遠隔操作装置へ上記設定情報を送信する設定通知手段と、を備えることを特徴としている。
【００４８】
それゆえ、遠隔操作装置のユーザの操作に応じて、本体装置の設定内容を遠隔操作装置に通知する。よって、遠隔操作装置の設定を本体装置の設定に同期させることが可能となる。
【００４９】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００５０】
また、本発明に係る遠隔操作システムの遠隔操作装置は、本体装置の設定状態を示す設定情報の通知要求を当該本体装置へ送信する設定通知要求手段と、上記設定情報を上記本体装置より受信する設定取得手段と、を備えることを特徴としている。
【００５１】
それゆえ、遠隔操作装置のユーザの操作に応じて、遠隔操作装置は本体装置の設定内容を取得する。よって、遠隔操作装置の設定を本体装置の設定に同期させることが可能となる。
【００５２】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００５３】
さらに、本発明に係る遠隔操作システムの遠隔操作装置は、上記本体装置より受信した上記設定情報をユーザに提示する提示手段を備えることを特徴としている。
【００５４】
それゆえ、遠隔操作装置は取得した本体装置の設定内容をユーザに提示する。よって、本体装置の設定と遠隔操作装置の設定とに食い違いが生じた場合、対応をユーザに選択させることができる。
【００５５】
さらに、本発明に係る遠隔操作システムの遠隔操作装置は、上記本体装置より受信した上記設定情報を記憶手段に記憶する設定管理手段を備えることを特徴としている。
【００５６】
それゆえ、遠隔操作装置は取得した本体装置の設定内容を記憶手段に記憶する。よって、本体装置の設定と遠隔操作装置の設定とに生じた食い違いを自動的に解消できる。
【００５７】
また、本発明に係る遠隔操作システムの制御方法は、本体装置の設定状態を示す設定情報の通知要求を遠隔操作装置から本体装置へ送信する設定通知要求ステップと、上記設定情報を本体装置から遠隔操作装置へ送信する設定通知ステップと、を含むことを特徴としている。
【００５８】
それゆえ、遠隔操作装置のユーザの操作に応じて、遠隔操作装置は本体装置の設定内容を取得する。よって、遠隔操作装置の設定を本体装置の設定に同期させることが可能となる。
【００５９】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００６０】
また、本発明に係る遠隔操作システムの本体装置は、遠隔操作装置との通信が可能であるか否かを判定する通信可否判定手段と、いずれか１つの遠隔操作装置と通信不可能な状態が所定時間継続したとき、自装置の設定をあらかじめ決められた規定値設定に変更する設定変更手段と、を備えることを特徴としている。
【００６１】
それゆえ、本体装置と遠隔操作装置が通信不可能な状態が一定時間続いた時、本体装置の設定を規定値設定に変更する。よって、同時に遠隔操作装置においても設定を規定値設定に変更することにより、本体装置の設定と遠隔操作装置の設定とを同期させることが可能となる。
【００６２】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００６３】
また、本発明に係る遠隔操作システムの遠隔操作装置は、本体装置との通信が可能であるか否かを判定する通信可否判定手段と、本体装置と通信不可能な状態が所定時間継続したとき、本体装置の設定があらかじめ決められた規定値設定に変更された旨をユーザに提示する提示手段と、を備えることを特徴としている。
【００６４】
それゆえ、本体装置と遠隔操作装置が通信不可能な状態が一定時間続いた時、本体装置の設定が規定値設定に変更された旨をユーザに提示する。よって、通信不可能な状態であっても、対応をユーザに選択させることが可能となる。
【００６５】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００６６】
また、本発明に係る遠隔操作システムの遠隔操作装置は、本体装置との通信が可能であるか否かを判定する通信可否判定手段と、本体装置と通信不可能な状態が所定時間継続したとき、あらかじめ決められた規定値設定を本体装置の設定状態を示す設定情報として記憶手段に記憶する設定管理手段、を備えることを特徴としている。
【００６７】
それゆえ、本体装置と遠隔操作装置が通信不可能な状態が一定時間続いた時、遠隔操作装置の設定を規定値設定に変更示する。よって、同時に遠隔操作装置においても設定を規定値設定に変更することにより、本体装置の設定と遠隔操作装置の設定とを同期させることが可能となる。
【００６８】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００６９】
また、本発明に係る遠隔操作システムの制御方法は、本体装置と遠隔操作装置との通信が可能であるか否かを判定する通信可否判定ステップと、本体装置といずれか１つの遠隔操作装置との通信不可能な状態が所定時間継続したとき、本体装置の設定をあらかじめ決められた規定値設定に変更する設定変更ステップと、を含むことを特徴としている。
【００７０】
それゆえ、本体装置と遠隔操作装置が通信不可能な状態が一定時間続いた時、本体装置の設定を規定値設定に変更する。よって、同時に遠隔操作装置においても設定を規定値設定に変更することにより、本体装置の設定と遠隔操作装置の設定とを同期させることが可能となる。
【００７１】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００７２】
また、本発明に係る遠隔操作システムの遠隔操作装置は、自装置が行った変更と他の遠隔操作装置が行った変更との先後関係を特定可能な変更順情報を記憶手段に記憶する変更順管理手段と、他の遠隔操作装置との間で変更順情報を交換する変更順情報交換手段と、上記変更順情報に基づき、自装置が行った変更と他の遠隔操作装置が行った変更との先後関係を特定する変更順比較手段と、他の遠隔操作装置による変更が自装置による変更より後であった場合、本体装置の設定が他の遠隔操作装置によって変更された旨をユーザに提示する提示手段と、を備えることを特徴としている。
【００７３】
それゆえ、遠隔操作装置同士で最後の設定を特定し、それが自装置によるものでなければ、その旨をユーザに提示する。よって、本体装置と通信できない状況においても、遠隔操作装置の設定を本体装置の設定と同期させることが可能となる。
【００７４】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００７５】
また、本発明に係る遠隔操作システムの遠隔操作装置は、自装置が行った変更による本体装置の設定状態を示す設定情報とともに、自装置が行った変更と他の遠隔操作装置が行った変更との先後関係を特定可能な変更順情報を記憶手段に記憶する変更順管理手段と、他の遠隔操作装置との間で変更順情報を交換する変更順情報交換手段と、上記変更順情報に基づき、自装置が行った変更と他の遠隔操作装置が行った変更との先後関係を特定する変更順比較手段と、他の遠隔操作装置による変更が自装置による変更より後であった場合、当該遠隔操作装置の設定情報および変更順情報によって、上記記憶手段の設定情報および変更順情報を更新する設定情報修正手段と、を備えることを特徴としている。
【００７６】
それゆえ、遠隔操作装置同士で最後の設定を特定し、それが自装置によるものでなければ、自装置に記録する。よって、本体装置と通信できない状況においても、遠隔操作装置の設定を本体装置の設定と同期させることが可能となる。
【００７７】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００７８】
また、本発明に係る遠隔操作システムの制御方法は、各遠隔操作装置にて、自装置が行った変更と他の遠隔操作装置が行った変更との先後関係を特定可能な変更順情報を記憶する変更順管理ステップと、各遠隔操作装置にて、他の遠隔操作装置との間で変更順情報を交換する変更順情報交換ステップと、各遠隔操作装置にて、上記変更順情報に基づき、自装置が行った変更と他の遠隔操作装置が行った変更との先後関係を特定する変更順比較ステップと、を含むことを特徴としている。
【００７９】
それゆえ、遠隔操作装置同士で最後の設定を特定する。よって、本体装置と通信できない状況においても、遠隔操作装置の設定を本体装置の設定と同期させることが可能となる。
【００８０】
したがって、複数の遠隔操作装置が本体装置に対して独立に設定変更が可能であり、本体装置と遠隔操作装置とが通信可能でない場合がある遠隔操作システムにおいて、本体装置および各遠隔操作装置の設定に生じた食い違いを解消できるという効果を奏する。
【００８１】
また、本発明に係る遠隔操作システムの本体装置は、現在の設定に変更した遠隔操作装置に付与された優先順位を記憶手段に記憶する優先順位保持手段と、遠隔操作装置から設定変更の要求を受信したとき、当該遠隔操作装置に付与された優先順位と、上記記憶手段に記憶した優先順位とを比較し、当該遠隔操作装置に付与された優先順位の方が高いときのみ設定の変更を許可する優先順位比較手段と、を備えることを特徴としている。
【００８２】
また、本発明に係る遠隔操作システムの制御方法は、現在の設定に変更した遠隔操作装置に付与された優先順位を記憶する優先順位保持ステップと、本体装置が遠隔操作装置から設定変更の要求を受信したとき、当該遠隔操作装置に付与された優先順位と、上記記憶した優先順位とを比較し、当該遠隔操作装置に付与された優先順位の方が高いときのみ設定の変更を許可する優先順位比較ステップと、を含むことを特徴としている。
【００８３】
それゆえ、本体装置は、現在の設定に変更した遠隔操作装置に付与された優先順位よりも高い優先順位の遠隔操作装置からの変更要求のみを受け付ける。よって、最も高い優先順位の遠隔操作装置からの変更要求に従って、本体装置の設定を変更できる。
【００８４】
したがって、複数の遠隔操作装置が本体装置に対して独立に設定変更が可能であり、本体装置と遠隔操作装置とが通信可能でない場合がある遠隔操作システムにおいて、本体装置をルールに従って変更できるため、本体装置および各遠隔操作装置の設定に食い違いが生じることを防止できるという効果を奏する。
【００８５】
また、本発明に係る遠隔操作システムの本体装置は、各遠隔操作装置には当該遠隔操作装置から変更可能な設定の範囲が権限としてあらかじめ設定されており、遠隔操作装置から設定変更の要求を受信したとき、当該遠隔操作装置が当該変更の権限を有する場合に変更を許可する権限判定手段と、上記権限判定手段にて変更が許可された場合、設定を変更する設定変更手段と、を備えることを特徴としている。
【００８６】
また、本発明に係る遠隔操作システムの制御方法は、各遠隔操作装置に当該遠隔操作装置から変更可能な設定の範囲を権限として設定する権限設定ステップと、本体装置が遠隔操作装置から設定変更の要求を受信したとき、当該遠隔操作装置が当該変更の権限を有する場合に変更を許可する権限判定ステップと、上記権限判定ステップにて変更が許可された場合、設定を変更する設定変更ステップと、を含むことを特徴としている。
【００８７】
それゆえ、本体装置は、遠隔操作装置に付与された権限に従って変更要求のみを受け付ける。よって、権限を有する遠隔操作装置からの変更要求に従って、本体装置の設定を変更できる。
【００８８】
したがって、複数の遠隔操作装置が本体装置に対して独立に設定変更が可能であり、本体装置と遠隔操作装置とが通信可能でない場合がある遠隔操作システムにおいて、本体装置をルールに従って変更できるため、本体装置および各遠隔操作装置の設定に食い違いが生じることを防止できるという効果を奏する。
【００８９】
また、本発明に係る遠隔操作システムの本体装置は、設定変更の要求を送信してきた遠隔操作装置と、自装置との距離を測定する距離測定手段と、複数の遠隔操作装置から設定変更の要求を受信したとき、自装置に最も近い遠隔操作装置を特定する距離判定手段と、上記距離判定手段によって特定された最も近い遠隔操作装置からの設定変更の要求に従って設定を変更する設定変更手段と、を備えることを特徴としている。
【００９０】
また、本発明に係る遠隔操作システムの制御方法は、設定変更の要求を送信してきた遠隔操作装置と、自装置との距離を測定する距離測定ステップと、複数の遠隔操作装置から設定変更の要求を受信したとき、自装置に最も近い遠隔操作装置を特定する距離判定ステップと、上記距離判定手段によって特定された最も近い遠隔操作装置からの設定変更の要求に従って設定を変更する設定変更ステップと、を含むことを特徴としている。
【００９１】
それゆえ、本体装置は、最も近い遠隔操作装置からの変更要求を受付け、他の離れた遠隔操作装置からの変更要求を受け付けない。よって、離れた位置の遠隔操作装置からの予期せぬ設定変更を防止できる。
【００９２】
したがって、複数の遠隔操作装置が本体装置に対して独立に設定変更が可能であり、本体装置と遠隔操作装置とが通信可能でない場合がある遠隔操作システムにおいて、本体装置をルールに従って変更できるため、本体装置および各遠隔操作装置の設定に食い違いが生じることを防止できるという効果を奏する。
【００９３】
また、本発明に係る遠隔操作システムの本体装置は、遠隔操作装置より受信した設定変更の要求を保持し、同一内容の設定変更の要求が所定数集まったときに、当該設定変更を許可する要求カウント手段と、上記要求カウント手段にて変更が許可された場合、設定を変更する設定変更手段と、を備えることを特徴としている。
【００９４】
また、本発明に係る遠隔操作システムの制御方法は、本体装置にて、遠隔操作装置より受信した設定変更の要求を保持し、同一内容の設定変更の要求が所定数集まったときに、当該設定変更を許可する要求カウントステップと、上記要求カウントステップにて変更が許可された場合、設定を変更する設定変更ステップと、を含むことを特徴としている。
【００９５】
それゆえ、本体装置は、同一内容の設定変更の要求を所定数の遠隔操作装置から受けたときに、変更を実行する。よって、所定数を満たさない数の遠隔操作装置からの変更要求は実行されない。
【００９６】
したがって、複数の遠隔操作装置が本体装置に対して独立に設定変更が可能であり、本体装置と遠隔操作装置とが通信可能でない場合がある遠隔操作システムにおいて、本体装置をルールに従って変更できるため、本体装置および各遠隔操作装置の設定に食い違いが生じることを防止できるという効果を奏する。
【発明を実施するための最良の形態】
【００９７】
本発明の実施の形態について図１から図１８に基づいて説明すれば、以下のとおりである。
【００９８】
図１は、本実施の形態に係る遠隔操作システム１の構成の概略を示す機能ブロック図である。
【００９９】
図１に示すように、遠隔操作システム１は、所定の動作を行う本体装置１０と、本体装置１０の設定を遠隔位置から変更する複数のリモコン（遠隔操作装置）２０…とを含んで構成されている。なお、図１では、リモコン２０を２つ示しているが、３つ以上であってもよい。
【０１００】
本体装置１０は、リモコン２０と無線通信を行う通信部１１、自装置の設定を制御する本体側設定制御部１２、自装置の設定状態を示す設定情報や設定制御のために使用する情報を記憶する本体側記憶部（記憶手段）１３を少なくとも備えている。さらに、本体側設定制御部１２は、変更装置保持部３１、本体側通信可否判定部３２、設定通知部３３、設定通知要求取得部３４、設定変更部３５、優先順位保持部６１、優先順位比較部６２、権限判定部６３、距離測定部６４、距離判定部６５、要求カウント部６６を有する。ただし、後述する（１−１）〜（２−４）のうち実装しない機能に対応するブロックを省略できる（図１、図４、図６、図８、図１０、図１２、図１５、図１７）。
【０１０１】
リモコン２０は、本体装置１０と無線通信を行う通信部２１、本体装置１０の設定状態を実際と食い違わないように記憶するための制御を行うリモコン側設定制御部２２、本体装置１０の設定状態を示す設定情報や自装置が行った変更の情報を記憶するリモコン側記憶部（記憶手段）２３を少なくとも備えている。さらに、リモコン側設定制御部２２は、設定取得部４１、提示部４２、設定管理部４３、設定通知要求部４４、リモコン側通信可否判定部４５、変更順管理部４６、変更順情報交換部４７、変更順比較部４８、設定情報修正部４９を有する。ただし、後述する（１−１）〜（２−４）のうち実装しない機能に対応するブロックを省略できる（図１、図４、図６、図８、図１０、図１２、図１５、図１７）。なお、リモコン２０には、ユーザインターフェイスとしての表示パネル、スピーカ、操作ボタン等（図示せず）が設けられている。
【０１０２】
なお、図１には、設定変更および設定情報の同期のためのブロックを示しており、その他の機能ブロックは省略されている。すなわち、図１には示していないが、例えば遠隔操作システム１が車両警備システムである場合には、本体装置１０は警備の動作を行う機能を備えており、リモコン２０は本体装置１０が異常検出時に発信した信号を受信してユーザに警報を発する機能を備えている。
【０１０３】
ここで、図２（ａ）〜（ｃ）を参照しながら、遠隔操作システム１において、本体装置１０とリモコン２０との間で設定に食い違いが起こるパターンについて説明する。
【０１０４】
図２（ａ）は、本体装置１０とリモコン２０との間で設定に食い違いが生じない正常なパターンである。まず、リモコン２０Ａが本体装置１０へ設定情報を送信して本体装置１０の設定を変更する（Ｓ１）。このとき、本体装置１０は、変更された状態を示す設定情報（これはリモコン２０Ａから受信したものと同じであってもよい）を他のリモコン２０Ｂへ送信する。そして、他のリモコン２０Ｂは、本体装置１０より受信した設定情報によって、自装置の記録を書き換える。これにより、本体装置１０の設定と、リモコン２０Ａが記憶している設定と、リモコン２０Ｂが記憶している設定とが一致する。
【０１０５】
図２（ｂ）は、本体装置１０とリモコン２０との間で設定に食い違いが生じるパターンである。まず、リモコン２０Ａが本体装置１０へ設定情報を送信して本体装置１０の設定を変更する（Ｓ１）。このとき、本体装置１０は、変更された状態を示す設定情報を他のリモコン２０Ｂへ送信する処理を行うが、送信できなかったとする（Ｓ２f）。その結果、他のリモコン２０Ｂは、本体装置１０より現在の設定状態を示す設定情報を受信できず、本体装置１０の設定およびリモコン２０Ａが記憶している設定と、リモコン２０Ｂが記憶している設定とに食い違いが生じる。
【０１０６】
その後、図２（ｃ）に示すように、リモコン２０Ｂが本体装置１０へ設定情報を送信して本体装置１０の設定を変更（Ｓ３）した場合を考える。このとき、本体装置１０は、変更された状態を示す設定情報を他のリモコン２０Ａへ送信する処理を行うが、送信できなかったとする（Ｓ４f）。その結果、他のリモコン２０Ａは、本体装置１０より現在の設定状態を示す設定情報を受信できず、本体装置１０の設定およびリモコン２０Ｂが記憶している設定と、リモコン２０Ａが記憶している設定とに食い違いが生じる。すなわち、リモコン２０Ａのユーザの知らないうち、自分のした設定が変更されていることになる。
【０１０７】
［１］本体装置とリモコンの状態の食い違いを修正する
上記遠隔操作システム１では、本体装置１０とリモコン２０の設定情報の食い違いを以下の（１−１）から（１−４）のように修正する。なお、以下の説明では、本体装置１０の設定を最後に変更したリモコン２０をリモコン２０Ａ、他のリモコン２０をリモコン２０Ｂとする。
【０１０８】
（１−１）本体装置とリモコンが通信可能になった時、本体装置の設定をリモコンに通知する
この場合、図１に示すように、本体装置１０およびリモコン２０は、特に以下の構成を有する。
【０１０９】
本体装置１０は本体側設定制御部１２に、変更装置保持部（変更装置保持手段）３１、本体側通信可否判定部（通信可否判定手段）３２、設定通知部（設定通知手段）３３を少なくとも備えている。
【０１１０】
変更装置保持部３１は、現在の設定に変更したリモコン２０Ａを特定可能な装置識別情報を本体側記憶部１３に記憶する。
【０１１１】
本体側通信可否判定部３２は、現在の設定に変更したリモコン２０Ａを除いた他のリモコン２０Ｂとの通信が可能であるか否かを判定する。
【０１１２】
設定通知部３３は、他のリモコン２０Ｂとの通信が可能になったとき、他のリモコン２０Ｂへ本体装置１０の設定状態を示す設定情報を送信する。
【０１１３】
なお、本体装置１０において、リモコン２０ごとに最後に設定した変更を記憶しておき、その設定が現在の設定と異なるリモコン２０との通信可否を判定し、それらのリモコン２０のみに設定情報を送信するようにしてもよい。
【０１１４】
また、リモコン２０はリモコン側設定制御部２２に、設定取得部（設定取得手段）４１、提示部（提示手段）４２、設定管理部（設定管理手段）４３を少なくとも備えている。
【０１１５】
設定取得部４１は、本体装置１０の設定状態を示す設定情報を本体装置１０より受信する。
【０１１６】
提示部４２は、設定情報を表示パネルやＬＥＤ等によりユーザに提示する。
【０１１７】
設定管理部４３は、設定情報をリモコン側記憶部２３に記憶する。
【０１１８】
リモコン側記憶部２３は、本体装置１０の設定状態を示す設定情報を記憶する。ただし、本体側記憶部１３の設定情報は、本体装置１０の設定状態と常に一致しているが、リモコン側記憶部２３の設定情報は、状況により本体装置１０の実際の設定状態と食い違いが生じる。
【０１１９】
上記構成により、遠隔操作システム１では、現在の設定に変更したリモコン２０Ａを特定可能な装置識別情報を記憶し（変更装置保持ステップ）、現在の設定に変更したリモコン２０Ａを除いた他のリモコン２０Ｂと本体装置１０との通信が可能であるか否かを判定し（通信可否判定ステップ）、上記他のリモコン２０Ｂと本体装置１０との通信が可能になったとき、当該リモコン２０Ｂへ本体装置１０の設定状態を示す設定情報を送信する（設定通知ステップ）。
【０１２０】
ここで、図３を用いて、上記構成による動作例を説明する。
【０１２１】
まず、リモコン２０Ａから本体装置１０に設定Ａが送信され、本体装置１０は設定Ａを記憶する（Ｓ１）。このとき、本体装置１０はリモコン２０Ｂへ送信を試みるが、送信できなかったので、不一致が発生する（Ｓ２f）。よって、リモコン２０Ｂは設定Ａに変更されない。
【０１２２】
次に、本体装置１０は、リモコン２０Ｂと通信可能になったことを検出し、リモコン２０Ｂへ設定Ａを送信する。リモコン２０Ｂでは、設定Ａが上書きされる。よって、本体装置１０の設定とリモコン２０Ｂの設定の不一致を解消できる。
【０１２３】
なお、リモコン２０Ｂに設定Ａが送信されたとき、（ａ）ユーザに不一致があることを提示して、対応をユーザに選択させてもよし、（ｂ）リモコン２０Ｂの設定を本体装置１０に書き戻してもよいし（リモコン２０Ｂが優先される）、（ｃ）受信した設定Ａの時刻と記憶していた設定Ｘの時刻を比較して、新しい方を優先させてもよい。
【０１２４】
（１−２）リモコンにてユーザが特定の操作をした時、本体装置の設定をリモコンに通知する
この場合、図４に示すように、本体装置１０およびリモコン２０は、特に以下の構成を有する。
【０１２５】
本体装置１０は本体側設定制御部１２に、設定通知要求取得部（設定通知要求取得手段）３４、設定通知部（設定通知手段）３３を少なくとも備えている。
【０１２６】
設定通知要求取得部３４は、本体装置１０の設定状態を示す設定情報の通知要求をリモコン２０より受信する。
【０１２７】
設定通知部３３は、記設定通知要求取得部３４にて設定情報の通知要求をリモコン２０より受信したとき、当該リモコン２０へ設定情報を送信する。
【０１２８】
また、リモコン２０はリモコン側設定制御部２２に、設定通知要求部（設定通知要求手段）４４、設定取得部（設定取得手段）４１、提示部（提示手段）４２、設定管理部（設定管理手段）４３を少なくとも備えている。
【０１２９】
設定通知要求部４４は、本体装置１０の設定状態を示す設定情報の通知要求を本体装置１０へ送信する。
【０１３０】
設定取得部４１は、設定情報を本体装置１０より受信する。
【０１３１】
提示部４２は、本体装置１０より受信した設定情報を表示パネルやＬＥＤ等によりユーザに提示する。
【０１３２】
設定管理部４３は、本体装置１０より受信した設定情報をリモコン側記憶部２３に記憶する。
【０１３３】
リモコン側記憶部２３は、本体装置１０の設定状態を示す設定情報を記憶する。ただし、本体側記憶部１３の設定情報は、本体装置１０の設定状態と常に一致しているが、リモコン側記憶部２３の設定情報は、状況により本体装置１０の実際の設定状態と食い違いが生じる。
【０１３４】
上記の構成により、遠隔操作システム１では、本体装置１０の設定状態を示す設定情報の通知要求をリモコン２０から本体装置１０へ送信し（設定通知要求ステップ）、設定情報を本体装置１０からリモコン２０へ送信する（設定通知ステップ）。
【０１３５】
ここで、図５を用いて、上記構成による動作例を説明する。
【０１３６】
まず、リモコン２０Ａから本体装置１０に設定Ａが送信され、本体装置１０は設定Ａを記憶する（Ｓ１）。このとき、本体装置１０はリモコン２０Ｂへ送信を試みるが、送信できなかったので、不一致が発生する（Ｓ２f）。よって、リモコン２０Ｂは設定Ａに変更されない。
【０１３７】
次に、ユーザの操作により、リモコン２０Ｂが設定情報の通知要求を本体装置１０へ送信し（Ｓ２１）、取得した設定Ａを記憶する（Ｓ２２）。よって、本体装置１０の設定とリモコン２０Ｂの設定の不一致を解消できる。
【０１３８】
なお、リモコン２０Ｂに設定Ａが送信されたとき、（ａ）リモコン２０Ａと本体装置１０の設定が一致しているかどうかの比較命令を発行して、比較の結果をユーザに提示した後、対応をユーザに任せてもよいし、（ｂ）本体装置１０に対して設定読み出し命令を発行し、設定Ａの時刻と設定Ｘの時刻とを比較し、新しい方を優先させてもよい。
【０１３９】
（１−３）本体装置とリモコンが通信できない状態が一定時間続くと、本体装置およびリモコンの設定を規定値に変更する
この場合、図６に示すように、本体装置１０およびリモコン２０は、特に以下の構成を有する。
【０１４０】
本体装置１０は本体側設定制御部１２に、本体側通信可否判定部（通信可否判定手段）３２、設定変更部（設定変更手段）３５を少なくとも備えている。
【０１４１】
本体側通信可否判定部３２は、リモコン２０との通信が可能であるか否かを判定する。
【０１４２】
設定変更部３５は、いずれか１つのリモコン２０と通信不可能な状態が所定時間継続したとき、本体装置１０の設定をあらかじめ決められた規定値設定に変更する。なお、設定情報として記憶すべき規定値設定の内容は、あらかじめ本体側記憶部１３に格納されている。
【０１４３】
また、リモコン２０はリモコン側設定制御部２２に、リモコン側通信可否判定部（通信可否判定手段）４５、提示部（提示手段）４２、設定管理部（設定管理手段）４３を少なくとも備えている。
【０１４４】
リモコン側通信可否判定部４５は、本体装置１０との通信が可能であるか否かを判定する。
【０１４５】
提示部４２は、本体装置１０と通信不可能な状態が所定時間継続したとき、本体装置１０の設定があらかじめ決められた規定値設定に変更された旨を表示パネルやＬＥＤ等によりユーザに提示する。
【０１４６】
設定管理部４３は、本体装置１０と通信不可能な状態が所定時間継続したとき、あらかじめ決められた規定値設定を本体装置１０の設定状態を示す設定情報としてリモコン側記憶部２３に記憶する。なお、設定情報として記憶すべき規定値設定の内容は、あらかじめリモコン側記憶部２３に格納されている。
【０１４７】
リモコン側記憶部２３は、本体装置１０の設定状態を示す設定情報を記憶する。ただし、本体側記憶部１３の設定情報は、本体装置１０の設定状態と常に一致しているが、リモコン側記憶部２３の設定情報は、状況により本体装置１０の実際の設定状態と食い違いが生じる。
【０１４８】
ここで、規定値設定には、ユーザがあらかじめ選択した設定を利用してもよいし、最も一般的な設定や最も安全な設定を利用してもよい。
【０１４９】
上記の構成により、遠隔操作システム１では、本体装置１０とリモコン２０との通信が可能であるか否かを判定し（通信可否判定ステップ）、本体装置１０といずれか１つのリモコン２０との通信不可能な状態が所定時間継続したとき、本体装置１０の設定をあらかじめ決められた規定値設定に変更する（設定変更ステップ）。
【０１５０】
ここで、図７（ａ）（ｂ）を用いて、上記構成による動作例を説明する。
【０１５１】
まず、リモコン２０Ａから本体装置１０に設定Ａが送信され、本体装置１０は設定Ａを記憶する（Ｓ１）。このとき、本体装置１０はリモコン２０Ｂへ送信を試みるが、送信できなかったので、不一致が発生する（Ｓ２f）。よって、リモコン２０Ｂは設定Ａに変更されない。
【０１５２】
次に、本体装置１０とリモコン２０Ｂとが通信できない状態で一定時間が経過すると、本体装置１０、リモコン２０Ａ，２０Ｂのすべての設定を設定Ｂに変更する（Ｓ３１）。よって、本体装置１０の設定とリモコン２０Ｂの設定の不一致を解消できる。
【０１５３】
なお、本体装置１０とリモコン２０Ｂとが通信できない状態で一定時間が経過したとき、リモコン２０Ａと本体装置１０は設定Ａのままとし、（ａ）リモコン２０Ｂにおいて設定が無効であることを表示してもよいし、（ｂ）本体装置１０とリモコン２０Ｂとが通信可能になった時点で、本体装置１０の設定をリモコン２０Ｂが自動的に読み込み記憶してもよい。
【０１５４】
（１−４）リモコンとリモコンが通信可能になった時、最後に設定したリモコンの内容を他のリモコンに通知する
この場合、図８に示すように、リモコン２０は、特に以下の構成を有する。
【０１５５】
リモコン２０はリモコン側設定制御部２２に、変更順管理部（変更順管理手段）４６、変更順情報交換部（変更順情報交換手段）４７、変更順比較部（変更順比較手段）４８、提示部（提示手段）４２を少なくとも備えている。
【０１５６】
変更順管理部４６は、自装置（リモコン２０Ａ）が行った変更と他のリモコン（２０Ｂ）が行った変更との先後関係を特定可能な変更順情報をリモコン側記憶部２３に記憶する。
【０１５７】
変更順情報交換部４７は、他のリモコン２０との間で変更順情報を交換する。
【０１５８】
変更順比較部４８は、変更順情報に基づき、自装置が行った変更と他のリモコン２０が行った変更との先後関係を特定する。
【０１５９】
提示部４２は、他のリモコン２０による変更が自装置による変更より後であった場合、本体装置１０の設定が他のリモコン２０によって変更された旨を表示パネルやＬＥＤ等によりユーザに提示する。
【０１６０】
リモコン側記憶部２３は、本体装置１０の設定状態を示す設定情報を記憶する。ただし、本体側記憶部１３の設定情報は、本体装置１０の設定状態と常に一致しているが、リモコン側記憶部２３の設定情報は、状況により本体装置１０の実際の設定状態と食い違いが生じる。
【０１６１】
変更順情報としては、変更との先後関係が特定できればよく、変更要求の時刻でもよいし、本体装置１０が変更する際、変更順の情報を送信し、受信したリモコン２０がこれを変更順情報として記憶してもよい。
【０１６２】
これにより、リモコン２０Ａ・２０Ｂで設定に食い違いが発生した場合でも、リモコン２０Ａ・２０Ｂ間の通信可能になった時、最後に設定したリモコン２０Ａの内容を他のリモコン２０Ｂに通知できる。
【０１６３】
また、リモコン２０はリモコン側設定制御部２２に、提示部４２の代わりに、設定情報修正部（設定情報修正手段）４９を備えていてもよい。
【０１６４】
設定情報修正部４９は、他のリモコン２０による変更が自装置による変更より後であった場合、当該リモコン２０の設定情報および変更順情報によって、リモコン側記憶部２３の設定情報および変更順情報を更新する。
【０１６５】
このとき、変更順管理部４６は、自装置が行った変更による本体装置１０の設定状態を示す設定情報とともに、自装置が行った変更と他のリモコン２０が行った変更との先後関係を特定可能な変更順情報をリモコン側記憶部２３に記憶する。
【０１６６】
これにより、リモコン２０Ａ・２０Ｂで設定に食い違いが発生した場合でも、リモコン２０Ａ・２０Ｂ間の通信可能になった時、最後に設定したリモコン２０Ａの内容を他のリモコン２０Ｂに記憶できる。
【０１６７】
上記の構成により、遠隔操作システム１では、各リモコン２０にて、自装置が行った変更と他のリモコン２０が行った変更との先後関係を特定可能な変更順情報を記憶し（変更順管理ステップ）、各リモコン２０にて、他のリモコン２０との間で変更順情報を交換し（変更順情報交換ステップ）、各リモコン２０にて、上記変更順情報に基づき、自装置が行った変更と他のリモコン２０が行った変更との先後関係を特定する（変更順比較ステップ）。
【０１６８】
その後、他のリモコン２０による変更が自装置による変更より後であった場合、本体装置１０の設定が他のリモコン２０によって変更された旨をユーザに提示する、あるいは、他のリモコン２０の設定情報および変更順情報によって、リモコン側記憶部２３の設定情報および変更順情報を更新する。
【０１６９】
ここで、図９（ａ）〜（ｃ）を用いて、上記構成による動作例を説明する。
【０１７０】
まず、リモコン２０Ａから本体装置１０に２回目の変更として設定Ａが送信されるが（Ｓ１）、リモコン２０Ｂには送信できなかったので、不一致が発生する（Ｓ２f）。なお、リモコン２０Ｂは、１回目の変更として設定Ｃを転送していたとする。
【０１７１】
次に、リモコン２０Ｂから本体装置１０に３回目の変更として設定Ｂが転送されるが（Ｓ３）、リモコン２０Ａには送信できなかったので、不一致が発生する（Ｓ４f）。
【０１７２】
次に、リモコン２０Ａとリモコン２０Ｂが通信可能になった時、最後の設定であるリモコン２０Ｂの設定Ｂがリモコン２０Ａに通知される（Ｓ４３）。
【０１７３】
なお、図９（ｃ）では、リモコン２０Ａ・２０Ｂ間で、変更順情報と一緒に設定情報を交換する場合を示している。このように、リモコン２０Ａ・２０Ｂ間で、変更順情報と同時に設定情報を交換してもよい。
【０１７４】
なお、最後の設定を取得したリモコン２０では、（ａ）受信した設定に変更してもよいし、（ｂ）本体装置１０へ設定変更要求を送信してもよいし、（ｃ）取得した設定を本体装置１０の設定としてユーザに提示し、対応を選択させてもよい。
【０１７５】
一般に、複数のリモコン２０が存在しても機能制限等の区別がない場合、すなわち、本体装置１０が複数のリモコン２０を区別無しに扱う場合、本体装置１０はリモコンから操作した最後の設定変更を採用することになる。そして、この方式では、リモコン２０が自装置からの変更結果として記憶している設定と、本体装置１０の設定との同期をとる必要がある。
【０１７６】
この点、遠隔操作システム１では、上述のように設定の食い違いを修正して、リモコン２０と本体装置１０の設定の同期を取ることができる。なお、設定の食い違いをユーザへ提示するだけでは、リモコン２０と本体装置１０の設定の同期が取れない可能性もあるが、操作・運用上で問題が無ければ通信量を抑えることができる。
【０１７７】
［２］複数のリモコンで異なる設定をする
つぎに、本体装置１０において、複数のリモコン２０・・・からの設定変更にルールを設けて、本体装置１０、リモコン２０・・・間で矛盾が生じないように設定変更を行う方式について説明する。以下の（２−１）から（２−４）では、設定変更の制御を本体装置１０において行うため、リモコン２０は、変更要求が受け付けられた否かを受信する変更可否受信部５１のみを備えていればよい。
【０１７８】
（２−１）リモコンに設定の優先順位をつける
この場合、図１０に示すように、本体装置１０は、特に以下の構成を有する。
【０１７９】
本体装置１０は本体側設定制御部１２に、優先順位保持部（優先順位保持手段）６１、優先順位比較部（優先順位比較手段）６２を少なくとも備えている。
【０１８０】
優先順位保持部６１は、現在の設定に変更したリモコン２０に付与された優先順位（変更装置優先順位）を本体側記憶部１３に記憶する。
【０１８１】
優先順位比較部６２は、リモコン２０から設定変更の要求を受信したとき、当該リモコン２０に付与された優先順位と、本体側記憶部１３に記憶した優先順位とを比較し、当該リモコン２０に付与された優先順位の方が高いときのみ設定の変更を許可する。
【０１８２】
各リモコン２０には、優先順位があらかじめ設定されている。この情報は、本体装置１０の本体側記憶部１３に優先順位テーブルとして各リモコン２０に対応付けて記憶されていてもよいし、リモコン２０から設定要求とともに受信してもよい。
【０１８３】
上記の構成により、遠隔操作システム１では、現在の設定に変更したリモコン２０に付与された優先順位を記憶し（優先順位保持ステップ）、本体装置１０がリモコン２０から設定変更の要求を受信したとき、当該リモコン２０に付与された優先順位と、上記記憶した優先順位とを比較し、当該リモコン２０に付与された優先順位の方が高いときのみ設定の変更を許可する（優先順位比較ステップ）。
【０１８４】
ここで、図１１を用いて、上記構成による動作例を説明する。
【０１８５】
メインリモコン２０Ａとサブリモコン２０Ｂの２台がある場合、同時に操作されたときは、メインリモコン２０Ａからの設定指示を採用する。時間的なずれが生じた場合でも、メインリモコン２０Ａで変更した設定に関しては、サブリモコン２０Ｂでは変更できない。サブリモコン２０Ｂで変更した設定に関しては、メインリモコン２０Ａで再変更することができる。なお、サブリモコン２０Ｂは、本体装置１０の比較において優先順位が低かった場合、変更要求が受け付けられなかった旨の通知を受信する。
【０１８６】
（２−２）設定の機能制限をつける
この場合、図１２に示すように、本体装置１０は、特に以下の構成を有する。
【０１８７】
本体装置１０は本体側設定制御部１２に、権限判定部（権限判定手段）６３、設定変更部（設定変更手段）３５を少なくとも備えている。
【０１８８】
権限判定部６３は、リモコン２０から設定変更の要求を受信したとき、当該リモコン２０が当該変更の権限を有する場合に変更を許可する。具体的には、権限判定部６３は、図１３に示すような操作権限テーブルに従って、変更可能な機能をリモコン毎に制御する。
【０１８９】
設定変更部３５は、権限判定部６３にて変更が許可された場合、設定を変更する。
【０１９０】
各リモコン２０には、当該リモコン２０から変更可能な設定の範囲が権限としてあらかじめ設定されている。この情報は、本体装置１０の本体側記憶部１３に操作権限テーブルとして記憶されている。
【０１９１】
上記の構成により、遠隔操作システム１では、各リモコン２０に当該リモコン２０から変更可能な設定の範囲を権限として設定し（権限設定ステップ）、本体装置１０がリモコン２０から設定変更の要求を受信したとき、当該リモコン２０が当該変更の権限を有する場合に変更を許可して（権限判定ステップ）、設定を変更する（設定変更ステップ）。
【０１９２】
ここで、図１４（ａ）（ｂ）を用いて、上記構成による動作例を説明する。
【０１９３】
例えば、メインリモコン２０Ａとサブリモコン２０Ｂの２台のリモコンを登録している場合、メインリモコン２０Ａは本体装置１０に対して全ての設定を変更できるが、サブリモコン２０Ｂは基本機能の設定変更しかできない（図１４（ａ）（ｂ））。３台以上の場合は、１台がメインの機能でその他がサブの機能を持つ場合やそれぞれに設定の範囲を設定しても良い。
【０１９４】
また、メインリモコン２０Ａで設定の一部または全部をロックすることでも同じ機能を実現できる。この場合は、メインリモコン２０Ａがロック設定をしてからロック解除するまで、サブリモコン２０Ｂからの設定操作を受け付けない（図１４（ｂ））。この間はメインリモコン２０Ａからは全ての設定操作ができるようにしても良いし、ロック解除の設定ができるようにしても良い。
サブリモコン２０Ｂは、本体装置１０において権限を満たさないと判定された場合、変更要求が受け付けられなかった旨の通知を受信する。なお、リモコン２０において、権限に応じた機能のみをユーザが操作できるように設定することも可能である。
【０１９５】
（２−３）本体装置に近い方のリモコンを優先する
この場合、図１５に示すように、本体装置１０は、特に以下の構成を有する。
【０１９６】
本体装置１０は本体側設定制御部１２に、距離測定部（距離測定手段）６４、距離判定部（距離判定手段）６５、設定変更部（設定変更手段）３５を少なくとも備えている。
【０１９７】
距離測定部６４は、設定変更の要求を送信してきたリモコン２０と、自装置との距離を測定する。
【０１９８】
距離判定部６５は、複数のリモコン２０から設定変更の要求を受信したとき、自装置に最も近いリモコン２０を特定する。
【０１９９】
設定変更部３５は、距離判定部６５によって特定された最も近いリモコン２０からの設定変更の要求に従って設定を変更する。
【０２００】
上記の構成により、遠隔操作システム１では、設定変更の要求を送信してきたリモコン２０と、自装置との距離を測定し（距離測定ステップ）、複数のリモコン２０から設定変更の要求を受信したとき、自装置に最も近いリモコン２０を特定し（距離判定ステップ）、該特定された最も近いリモコン２０からの設定変更の要求に従って設定を変更する（設定変更ステップ）。
【０２０１】
ここで、図１６を用いて、上記構成による動作例を説明する。
【０２０２】
本体装置１０との通信距離内にあるリモコン２０Ａ・２０Ｂの２台がある場合は、本体装置１０に近いリモコン２０Ａの操作を優先する。この方式では、車内や車の近辺にリモコンがあれば、そのリモコンの操作が優先され、他の離れたリモコンからは操作できない。したがって、リモコンを持ったユーザーが車に乗っていたり、乗降中のユーザーのみが操作することができ、離れた位置からの予期せぬ設定変更を受け付けない。
【０２０３】
なお、本体装置１０とリモコン２０との距離は、通常、対象リモコンからの電波強度によって測定できる。また、本体装置１０やリモコン２０の内部クロックを完全に同期させて電波の送受信のタイムラグや通信の往復時間によって距離を測定したり、ＧＰＳ（global positioning system）による位置情報を利用して判断しても良い。また、同じ尺度で測定すれば厳密なものでなくてよく、実際の距離と誤差があっても問題は無い。
【０２０４】
（２−４）複数のリモコンが同じ設定をしないと設定できない
この場合、図１７に示すように、本体装置１０は、特に以下の構成を有する。
【０２０５】
本体装置１０は本体側設定制御部１２に、要求カウント部（要求カウント手段）６６、設定変更部（設定変更手段）３５を少なくとも備えている。
【０２０６】
要求カウント部６６は、リモコン２０より受信した設定変更の要求を保持し、同一内容の設定変更の要求が所定数集まったときに、当該設定変更を許可する。
【０２０７】
設定変更部３５は、要求カウント部６６にて変更が許可された場合、設定を変更する。
【０２０８】
上記の構成により、遠隔操作システム１では、本体装置１０にて、リモコン２０より受信した設定変更の要求を保持し、同一内容の設定変更の要求が所定数集まったときに、当該設定変更を許可して（要求カウントステップ）、設定を変更する（設定変更ステップ）。
【０２０９】
ここで、図１８（ａ）（ｂ）を用いて、上記構成による動作例を説明する。
【０２１０】
上記遠隔操作システム１では、複数のリモコンが同じタイミングで同じ設定操作を行わない限り変更ができない（図１８（ａ）（ｂ））。すなわち、本体装置１０にリモコン２０Ａ・２０Ｂの２台が登録されている場合は、１個のリモコンだけでは設定の変更が行えない。
【０２１１】
なお、このような制御に適した設定としては、設定変更を行ったことを全てのリモコン２０で確認するような重要な設定変更が挙げられる。すなわち、本体装置１０の全ての設定ではなくてもよい。
【０２１２】
また、設定変更は、完全に同じタイミングである必要は無く、１つのリモコン２０が操作を行ってから一定時間内に別のリモコン２０が操作を行い、最終的に本体装置１０に登録された全てのリモコン２０で同一の操作が行われたことが確認できた時点で設定を変更する。アンサーバックリモコンの場合は、設定変更を全リモコンに通知できる。
【０２１３】
ここで、本発明に係る遠隔操作システムが、詳細な設定が可能な多機能リモコンを複数含む場合に好適であることについて補足する。
【０２１４】
例えば車両警備システムにおいては、本体装置（車載機）を搭載した車両を使用するユーザが複数いる場合、同機能のリモコンを使用者の数だけ使えることが望ましい。このようなシステムでは、本体装置とリモコン間が双方向の通信を行って設定の同期を取ることができる。ただし、通信に特定小電力などの無線を使用している場合は通信可能範囲が狭く制限されるため、本体装置とシステムに登録された全てのリモコン間で設定の同期を保障することができない。
【０２１５】
具体例として、２台のリモコンＡ，Ｂから、１台の本体装置に対して設定の変更操作を行う場合を考える。リモコンＡ，Ｂからは３つの設定変更（(1)異常発生時の車内ブザーのオン／オフ、(2)警戒設定のオン／オフ、(3)異常発生時のリモコン・バイブ通知のオン／オフ）がそれぞれ可能であり、本体装置の現在の設定がリモコンＡ，Ｂに表示されるとする。
【０２１６】
まず、リモコンＡから本体装置の警戒設定をオンにする。このとき、リモコンＢが本体装置との通信可能範囲内にあれば、警戒設定をオンしたことがリモコンＢに対して通知される。しかし、リモコンＢが通信可能範囲内になければ、警戒設定を変更したことはリモコンＢには伝わらない。したがって、本体装置の警戒設定はオンだが、リモコンＡではオンと表示され、リモコンＢではオフと表示されることになる。これが、複数のリモコンを使用するシステムにおいて、リモコンと本体装置の設定動作の同期が取れない現象である。
【０２１７】
この問題の解決方法の１つとして、本体装置とリモコンが全ての時間で同期処理を行う方法がある。この方法では、リモコンは常に受信状態にあり、本体装置は変更処理後同期が取れるまで送信を行う必要があるため、消費電力の点で不利である。したがって、バッテリに余裕がない限り、特にユーザが持ち運ぶリモコンには常時同期の方法は非常に採用しにくい。
【０２１８】
また、上記の例では、「通常は動作変更をしないもの」（上記の(1)）、「常に同期を取ることが望ましいもの」（上記の(2)）、「同期を取る必要のないもの」（上記の(3)）のように、本体装置の設定に重要度や機能による種別がある。よって、本体装置とリモコンの設定の同期を取るには、これらの種別を考慮して同期処理を行う必要がある。
【０２１９】
そこで、本発明では、矛盾を含みかねない設定変更に対して、様々なルール設定を提案している。なお、同期処理にルールがない場合、ユーザはリモコンと本体装置の設定に同期があるのかないのかすらまったく分からない。すなわち、ユーザは設定変更の可能性があることも把握できずに、混乱することになる。
【０２２０】
本発明では、矛盾した設定動作が発生しないように設定変更にルールが設定されている。よって、ユーザは、設定の同期が取れていないことを把握すれば、それに応じた操作を行うことができる。例えば、上記の例であれば、次のような操作が可能となる。(1)異常発生時の車内ブザーのオン／オフのように通常は動作変更をしない設定に関しては、確認を行わず必要とした人が設定変更をする。(2)警戒設定のオン／オフのように常に同期を取ることが望ましい設定に関しては、変更前に設定確認を行い、他のユーザの操作を確認する。(3)異常発生時のリモコン・バイブ通知のオン／オフのように同期を取る必要のない設定に関しては、本体装置と同期していないので、全く考慮する必要がない。
【０２２１】
なお、本実施の形態は本発明の範囲を限定するものではなく、本発明の範囲内で種々の変更が可能であり、例えば、以下のように構成することができる。
【０２２２】
本体装置１０の本体側設定制御部１２およびリモコン２０のリモコン側設定制御部２２は、例えばＣＰＵ(Central Processing Unit)が、内部の各機能ブロックにおける処理動作を実現するためのプログラムを実行することによって実現することができる。また、これらのプログラムは、例えば記憶装置（本体側記憶部１３、リモコン側記憶部２３であってもよい）に記憶されており、必要時にＲＡＭなどの作業領域記憶手段に読み出されてＣＰＵによって実行されることになる。上記プログラムを記憶する記憶装置は、例えばフラッシュＥＥＰＲＯＭなどの不揮発性ＩＣメモリやハードディスクなどの不揮発性記録媒体によって構成することができる。また、各種リムーバブルメディアに上記プログラムが記憶されており、必要時にこのリムーバブルメディアからプログラムが読み出されることによって実行される形態でもよい。また、上記プログラムは、通信ネットワークを介して外部からダウンロードされて実行されるようになっていてもよい。さらに、上記本体側設定制御部１２およびリモコン側設定制御部２２は、上記各機能ブロックを実現するＩＣによって構成されていてもよい。
【産業上の利用可能性】
【０２２３】
本発明に係る遠隔操作システムによれば、本体装置の設定と各遠隔操作装置の設定とを同期させることができる。よって、複数の遠隔操作装置が本体装置に対して独立に設定変更が可能であり、本体装置と遠隔操作装置とが通信可能でない場合がある遠隔操作システム、例えば、車両警備システムにおいて、好適に利用できる。
【図面の簡単な説明】
【０２２４】
【図１】本発明の実施の形態に係る遠隔操作システムの本体装置およびリモコンの構成の概略を示す機能ブロック図である。
【図２】図２（ａ）〜図２（ｃ）は、遠隔操作システムの動作を示す説明図である。
【図３】図３（ａ），図３（ｂ）は、図１に示した遠隔操作システムの動作を示す説明図である。
【図４】本発明の実施の形態に係る遠隔操作システムの本体装置およびリモコンの構成の概略を示す機能ブロック図である。
【図５】図５（ａ），図５（ｂ）は、図４に示した遠隔操作システムの動作を示す説明図である。
【図６】本発明の実施の形態に係る遠隔操作システムの本体装置およびリモコンの構成の概略を示す機能ブロック図である。
【図７】図７（ａ），図７（ｂ）は、図６に示した遠隔操作システムの動作を示す説明図である。
【図８】本発明の実施の形態に係る遠隔操作システムの本体装置およびリモコンの構成の概略を示す機能ブロック図である。
【図９】図９（ａ）〜図９（ｂ）は、図８に示した遠隔操作システムの動作を示す説明図である。
【図１０】本発明の実施の形態に係る遠隔操作システムの本体装置およびリモコンの構成の概略を示す機能ブロック図である。
【図１１】図１０に示した遠隔操作システムの動作を示す説明図である。
【図１２】本発明の実施の形態に係る遠隔操作システムの本体装置およびリモコンの構成の概略を示す機能ブロック図である。
【図１３】図１２に示した遠隔操作システムで利用する操作権限テーブルの具体例を示す説明図である。
【図１４】図１２に示した遠隔操作システムの動作を示す説明図である。
【図１５】本発明の実施の形態に係る遠隔操作システムの本体装置およびリモコンの構成の概略を示す機能ブロック図である。
【図１６】図１５に示した遠隔操作システムの動作を示す説明図である。
【図１７】本発明の実施の形態に係る遠隔操作システムの本体装置およびリモコンの構成の概略を示す機能ブロック図である。
【図１８】図１８（ａ），図１８（ｂ）は、図１７に示した遠隔操作システムの動作を示す説明図である。
【符号の説明】
【０２２５】
１    遠隔操作システム
１０    本体装置
１３    本体側記憶部（記憶手段）
２０（２０Ａ・２０Ｂ）  リモコン（遠隔操作装置）
２３    リモコン側記憶部（記憶手段）
３１    変更装置保持部（変更装置保持手段）
３２    本体側通信可否判定部（通信可否判定手段）
３３    設定通知部（設定通知手段）
３４    設定通知要求取得部（設定通知要求取得手段）
３５    設定変更部（設定変更手段）
４１    設定取得部（設定取得手段）
４２    提示部（提示手段）
４３    設定管理部（設定管理手段）
４４    設定通知要求部（設定通知要求手段）
４５    リモコン側通信可否判定部（通信可否判定手段）
４６    変更順管理部（変更順管理手段）
４７    変更順情報交換部（変更順情報交換手段）
４８    変更順比較部（変更順比較手段）
４９    設定情報修正部（設定情報修正手段）
６１    優先順位保持部（優先順位保持手段）
６２    優先順位比較部（優先順位比較手段）
６３    権限判定部（権限判定手段）
６４    距離測定部（距離測定手段）
６５    距離判定部（距離判定手段）
６６    要求カウント部（要求カウント手段）
【図１】
2005136890.tif 000003
【図２】
2005136890.tif 000004
【図３】
2005136890.tif 000005
【図４】
2005136890.tif 000006
【図５】
2005136890.tif 000007
【図６】
2005136890.tif 000008
【図７】
2005136890.tif 000009
【図８】
2005136890.tif 000010
【図９】
2005136890.tif 000011
【図１０】
2005136890.tif 000012
【図１１】
2005136890.tif 000013
【図１２】
2005136890.tif 000014
【図１３】
2005136890.tif 000015
【図１４】
2005136890.tif 000016
【図１５】
2005136890.tif 000017
【図１６】
2005136890.tif 000018
【図１７】
2005136890.tif 000019
【図１８】
2005136890.tif 000020